(57)【要約】【課題】  器具本体に対するランプカバーの取付け作業の作業性を向上し、ランプカバーの破損を防止する。【解決手段】  器具本体１２の天板２６および底板２７には、セード１３を支持する平板状の上支持片２８および下支持片２９が直管蛍光灯１０の長手方向に亘ってそれぞれ設けられる。また、セード１３には、上支持片２８および下支持片２９に当接される上当接部３１および下当接部３２が直管蛍光灯１０の長手方向に亘ってそれぞれ設けられる。そして、上支持片２８および上当接部３１には、互いに係合する係合突起３０および係合爪３４が設けられる。【選択図】  図４
2006032049.tif 000002
【特許請求の範囲】
【請求項１】
直管状の放電灯と、
天板と底板とを有し、前記放電灯を支持する器具本体と、
前記器具本体の前記天板および前記底板と協同して前記放電灯の全周を覆うように前記天板と前記底板とに跨って支持されるランプカバーと、
前記放電灯の両端側にそれぞれ設けられ前記器具本体と前記ランプカバーとに跨って取り付けられる一組のサイドカバーとを備え、
前記器具本体の前記天板および前記底板には、前記ランプカバーを支持する平板状の上支持片および下支持片が前記放電灯の長手方向に亘ってそれぞれ設けられ、
前記ランプカバーには、前記器具本体の前記上支持片および前記下支持片に当接される上当接部および下当接部が前記放電灯の長手方向に亘ってそれぞれ設けられ、
前記上支持片および前記上当接部には、互いに係合する係合手段が設けられていることを特徴とする照明器具。
【請求項２】
前記上当接部は、前記上支持片に平行に当接される当接片を有し、
前記係合手段は、前記上支持片に設けられた係合突起と、前記当接片に設けられ前記係合突起に係合する係合爪とを有している請求項１に記載の照明器具。
【請求項３】
前記係合突起は、前記放電灯の長手方向に沿って複数箇所に間隔をあけて設けられている請求項２に記載の照明器具。
【請求項４】
前記下当接部は、前記下支持片が平行に挿入される対向間隙をなす一対の当接片を有している請求項１ないし３のいずれか１項に記載の照明器具。
【請求項５】
前記器具本体には、前記上支持片および前記下支持片が、前記天板および前記底板の主面と平行に設けられている請求項１ないし４のいずれか１項に記載の照明器具。
【請求項６】
前記放電灯の径方向の中心を通り前記放電灯の長手方向に平行な平面に対して一方側のみを照明する請求項１ないし５のいずれか１項に記載の照明器具。
【請求項７】
前記器具本体は、建築物の側壁または該側壁に設けられた収納部の下方に配置される請求項１ないし６のいずれか１項に記載の照明器具。
【請求項８】
直管状の放電灯と、天板と底板とを有し前記放電灯を支持する器具本体と、前記器具本体の前記天板および前記底板と協同して前記放電灯の全周を覆うように前記天板と前記底板とに跨って支持されるランプカバーと、前記放電灯の両端側にそれぞれ設けられ前記器具本体と前記ランプカバーとに跨って取り付けられる一組のサイドカバーとを備え、前記ランプカバーに、前記器具本体の前記上支持片および前記下支持片に当接される上当接部および下当接部が前記放電灯の長手方向に亘ってそれぞれ設けられた照明器具に用いられる器具本体であって、
前記天板および前記底板には、前記ランプカバーの前記上当接部および前記下当接部を支持する平板状の上支持片および下支持片が前記放電灯の長手方向に亘ってそれぞれ設けられ、
前記上支持片には、前記ランプカバーの前記上当接部に係合する係合手段が設けられていることを特徴とする器具本体。
【請求項９】
直管状の放電灯と、天板と底板とを有し前記放電灯を支持する器具本体と、前記器具本体の前記天板および前記底板と協同して前記放電灯の全周を覆うように前記天板と前記底板とに跨って支持されるランプカバーと、前記放電灯の両端側にそれぞれ設けられ前記器具本体と前記ランプカバーとに跨って取り付けられる一組のサイドカバーとを備え、前記器具本体の前記天板および前記底板に、前記ランプカバーを支持する平板状の上支持片および下支持片が前記放電灯の長手方向に亘ってそれぞれ設けられた照明器具に用いられるランプカバーであって、
前記器具本体の前記上支持片および前記下支持片に当接される上当接部および下当接部が前記放電灯の長手方向に亘ってそれぞれ設けられ、
前記上当接部には、前記器具本体の前記上支持片に係合する係合手段が設けられていることを特徴とするランプカバー。
【発明の詳細な説明】
【技術分野】
【０００１】
本発明は、例えば台所の収納棚の下方に配置される照明器具に関する。
【背景技術】
【０００２】
従来、照明器具としては、例えば台所の収納棚、学習机の本棚、商品陳列棚等の下方に配置されて、蛍光灯の径方向の中心を通り蛍光灯の長手方向に平行な平面に対して一方側を照明するための、すなわち蛍光灯の鉛直下方から前方の範囲を照明するための棚下用の照明器具が知られている。
【０００３】
図５に示すように、従来の照明器具１０１は、いわゆる壁付け型の照明器具であって、直管蛍光灯１１０を有する光源部１１１と、この光源部１１１を支持する器具本体１１２と、直管蛍光灯１１０を覆うように器具本体１１２に支持されるセード１１３と、器具本体１１２とセード１１３とに跨って取り付けられる一組のサイドカバー（不図示）とを備えているものがある。
【０００４】
器具本体１１２は、直管蛍光灯１１０の接続端子に接続される一組のコネクタと、コネクタ１２１を介して直管蛍光灯１１０に電力を供給し点灯および消灯を制御するための制御回路部（不図示）と、これらコネクタ１２１および制御回路部を支持する支持基体１２３とを有している。支持基体１２３には、天板１２６および底板１２７がそれぞれ設けられており、これら天板１２６および底板１２７に、セード１１３を支持する平板状の上支持片１２８および下支持片１２９が、直管蛍光灯１１０の長手方向に亘ってそれぞれ形成されている。
【０００５】
セード１１３は、例えば樹脂材料によって断面略Ｕ字状に形成されており、器具本体１１２側の上支持片１２８および下支持片１２９に当接される上当接部１３１および下当接部１３２が、直管蛍光灯１１０の長手方向に亘ってそれぞれ一体に形成されている。これら上当接部１３１および下当接部１３２は、断面略コ字状に形成されており、上支持片１２８および下支持片１２９がほぼ平行に挿入される対向間隙をなす一対の当接片１３１ａ，１３１ｂ、１３２ａ，１３２ｂを有している。
【０００６】
セード１１３は、上当接部１３１および下当接部１３２の一対の当接片１３１ａ，１３１ｂ、１３２ａ，１３２ｂの対向間隙に、器具本体１１２側の上支持片１２８および下支持片１２９がほぼ平行にそれぞれ挿入されることで支持される。そして、このセード１１３は、器具本体１１２の天板１２６および底板１２７と協同して直管蛍光灯１１０の全周を覆うように器具本体１１２に取り付けられている。
【０００７】
サイドカバーは、直管蛍光灯１１０の長手方向の両端に配置されており、器具本体１１２の端部とセード１１３の端部とに跨って嵌め込まれている。
【０００８】
以上のように構成された従来の照明器具１０１は、例えば直管蛍光灯１１０の交換時やセード１１３等の清掃時に、器具本体１１２に対してセード１１３を着脱する手順について説明する。
【０００９】
まず、器具本体１１２に対してセード１１３を取り外す場合、器具本体１１２およびセード１１３から各サイドカバーをそれぞれ取り外し、器具本体１１２の上支持片１２８とセード１１３の上当接部１３１との当接状態を解除する。上支持片１２８と上当接部１３１との当接状態を解除した後、器具本体１１２の下支持片１２９とセード１１３の下当接部１３２との当接箇所を回動支点として、器具本体１１２に対してセード１１３を回動操作して、下支持片１２９と下当接部１３２との当接状態を解除することで、器具本体１１２からセード１１３が取り外される。
【００１０】
一方、器具本体１１２に対してセード１１３を取り付ける場合、器具本体１１２の下支持片１２９とセード１１３の下当接部１３２とを当接させて、この当接箇所を回動支点として器具本体１１２に対してセード１１３を回動操作することで、器具本体１１２の上支持片１２８とセード１１３の上当接部１３１とを当接させる。
【００１１】
続いて、図６に示すように、器具本体１１２の上支持片１２８とセード１１３の上当接部１３１の当接片１３１ａとの当接状態を維持するようにセード１１３を手で支えながら、器具本体１１２とセード１１３の各両端部とに跨って各サイドカバーをそれぞれ取り付けることで、器具本体１１２にセード１１３が支持された状態で固定され、照明器具１０１の組み立て作業が完了する。
【００１２】
また、このような従来の他の照明器具としては、直管蛍光灯を支持する器具本体と、直管蛍光灯を覆うセードと、器具本体の両端にそれぞれ配置されて器具本体とセードとに跨って取り付けられる一組のサイドカバーを備える構成が開示されている（例えば、特許文献１参照。）。
【特許文献１】特開平７−２４０１１４号公報（図２）
【発明の開示】
【発明が解決しようとする課題】
【００１３】
上述したように、従来の照明器具では、照明器具の組み立て作業時、器具本体に係合されたセードが、下支持片と下当接部との当接箇所を回動支点として照明器具の前方に落下しようとする。このため、従来の照明器具は、器具本体に組み付けたセードを手で押さえて支えることで組み付け状態を維持しながら、セードの長手方向の両端側に位置する各サイドカバーを、器具本体とセードとに跨ってそれぞれ嵌め込むように取り付ける必要がある。
【００１４】
すなわち、器具本体に支持されたセードは、上当接部および下当接部の各当接片の対向間に、器具本体の上支持片および下支持片が挿入された状態で当接されているだけである。このため、器具本体の上支持片に上当接部が当接された状態を維持するようにセードを手で支える必要がある。
【００１５】
また、組み立て作業の途中でセードを支える手を誤って外した場合には、上支持片から上当接部が外れ、器具本体からセードが脱落し、セードが落下して破損してしまうおそれがあった。したがって、従来の照明器具は、組み立て作業の作業性が乏しく、作業性が煩雑であるという問題がある。
【００１６】
そこで、本発明は、器具本体にランプカバーが係合された状態で、器具本体からランプカバーが脱落することを抑え、ランプカバーの破損を防止し、照明器具の組み立て作業を一人だけで安全かつ確実に行うことを可能にする照明器具および器具本体、ランプカバーを提供することを目的とする。
【課題を解決するための手段】
【００１７】
上述した目的を達成するため、本発明に係る照明器具は、直管状の放電灯と、天板と底板とを有し放電灯を支持する器具本体と、器具本体の天板および底板と協同して放電灯の全周を覆うように天板と底板とに跨って支持されるランプカバーと、放電灯の両端側にそれぞれ設けられ器具本体とランプカバーとに跨って取り付けられる一組のサイドカバーとを備える。また、器具本体の天板および底板には、ランプカバーを支持する平板状の上支持片および下支持片が放電灯の長手方向に亘ってそれぞれ設けられる。また、ランプカバーには、器具本体の上支持片および下支持片に当接される上当接部および下当接部が放電灯の長手方向に亘ってそれぞれ設けられる。そして、上支持片および上当接部には、互いに係合する係合手段が設けられる。
【００１８】
以上のように構成した本発明に係る照明器具によれば、器具本体の上支持片にランプカバーの上当接部を当接させたときに、これら上支持片と上当接部が係合手段によって互いに係合されることで、器具本体にランプカバーが係合される。このため、器具本体に係合されたランプカバーを支える手をランプカバーから外した場合であっても、器具本体からランプカバーが脱落することが防止される。したがって、本発明の照明器具によれば、サイドカバーを取り付けない状態で、器具本体にランプカバーが保持されるので、照明器具の組付け作業の作業性が向上する。
【００１９】
また、本発明に係る器具本体は、直管状の放電灯と、天板と底板とを有し放電灯を支持する器具本体と、器具本体の天板および底板と協同して放電灯の全周を覆うように天板と底板とに跨って支持されるランプカバーと、放電灯の両端側にそれぞれ設けられ器具本体とランプカバーとに跨って取り付けられる一組のサイドカバーとを備え、ランプカバーに、器具本体の上支持片および下支持片に当接される上当接部および下当接部が放電灯の長手方向に亘ってそれぞれ設けられた照明器具に用いられる器具本体である。本発明の器具本体は、天板および底板に、ランプカバーの上当接部および下当接部を支持する平板状の上支持片および下支持片が放電灯の長手方向に亘ってそれぞれ設けられる。そして、上支持片には、ランプカバーの上当接部に係合する係合手段が設けられる。
【００２０】
また、本発明に係るランプカバーは、直管状の放電灯と、天板と底板とを有し放電灯を支持する器具本体と、器具本体の天板および底板と協同して放電灯の全周を覆うように天板と底板とに跨って支持されるランプカバーと、放電灯の両端側にそれぞれ設けられ器具本体とランプカバーとに跨って取り付けられる一組のサイドカバーとを備え、器具本体の天板および底板に、ランプカバーを支持する平板状の上支持片および下支持片が放電灯の長手方向に亘ってそれぞれ設けられた照明器具に用いられるランプカバーである。本発明のランプカバーには、器具本体の上支持片および下支持片に当接される上当接部および下当接部が放電灯の長手方向に亘ってそれぞれ設けられる。そして、上当接部には、器具本体の上支持片に係合する係合手段が設けられる。
【発明の効果】
【００２１】
上述したように本発明によれば、器具本体の上支持片およびランプカバーの上当接片に、互いに係合する係合手段が設けられたことによって、放電灯の交換時やメンテナンス時等に、器具本体にランプカバーを取り付ける際に、器具本体に組み付けられたランプカバーを器具本体から誤って落下させて、ランプカバーを破損してしまうことが防止される。したがって、本発明によれば、照明器具の組み立て作業を一人だけで安全かつ確実に行うことができる。
【発明を実施するための最良の形態】
【００２２】
以下、本発明の具体的な実施形態について、図面を参照して説明する。
【００２３】
本実施形態の照明器具は、室内の側壁やこの側壁から突出して設けられた収納部の下方に配置される壁付け型の照明器具である。すなわち、この照明器具は、例えば、台所の流し台や調理台の上方に設けられた食器棚等の収納部の下方に配置される、いわゆる棚下用の照明器具であって、直管蛍光灯の径方向の中心を通りこの直管蛍光灯の長手方向に平行な平面に対して一方側、すなわち流し台および流し台の前方の範囲を照明するように構成されている。
【００２４】
図１および図２に示すように、照明器具１は、放電灯として直管蛍光灯１０を有する光源部１１と、この光源部１１を支持する器具本体１２と、この器具本体１２に直管蛍光灯１０を覆うように取り付けられるランプカバーであるセード１３と、これらセード１３と器具本体１２とに跨って取り付けられる一組のサイドカバー１４，１５とを備えている。
【００２５】
器具本体１２は、直管蛍光灯１０の接続端子に接続される一組のコネクタ２１と、コネクタ２１を介して直管蛍光灯１０に電力を供給し点灯および消灯を制御するための制御回路部（不図示）と、これらコネクタ２１および制御回路部を支持する支持基体２３とを有している。
【００２６】
支持基体２３は、例えば金属材料によって形成されており、天板２６および底板２７がそれぞれ設けられている。これら天板２６および底板２７の各縁部には、セード１３を支持する平板状の上支持片２８および下支持片２９が、天板２６および底板２７とほぼ平行に、直管蛍光灯１０の長手方向に亘ってそれぞれ一体に形成されている。そして、天板２６の上支持片２８には、直管蛍光灯１０の長手方向に沿って、複数箇所に所定の間隔をあけて、略半球状の係合突起３０が設けられている。なお、支持基体２３の上支持片２８には、直線状の係合突起が直管蛍光灯１０の長手方向に亘って形成されてもよい。
【００２７】
セード１３は、例えば樹脂材料によって断面略Ｕ字状に形成されており、器具本体１２側の上支持片２８および下支持片２９にそれぞれ当接される上当接部３１および下当接部３２が、直管蛍光灯１０の長手方向に亘ってそれぞれ一体に形成されている。これら上当接部３１および下当接部３２は、断面略コ字状に形成されており、上支持片２８および下支持片２９がほぼ平行に挿入される対向間隙をなす一対の当接片３１ａ，３１ｂ、３２ａ，３２ｂを有している。そして、上当接部３１の当接片３１ａの先端部には、器具本体１２側の上支持片２８の係合突起３０に係合される係合爪３４が一体に形成されている。
【００２８】
セード１３は、上当接部３１および下当接部３２の一対の当接片３１ａ，３１ｂ、３２ａ，３２ｂの対向間隙に、器具本体１２側の上支持片２８および下支持片２９がほぼ平行にそれぞれ挿入されることで支持される。そして、このセード１３は、器具本体１２の天板２６および底板２７と協同して直管蛍光灯１０の全周を覆うように器具本体１２の天板２６と底板２７とに跨って取り付けられている。
【００２９】
サイドカバー１４，１５は、例えば樹脂材料によって有底箱状に形成されており、開口内に、支持基体２３およびセード１３の各端部がそれぞれ挿入されることで、支持基体２３の端部とセード１３の端部とに跨って係合される。すなわち、セード１３は、両端部にサイドカバー１４，１５が取り付けられることで、器具本体１２に確実に保持される。
【００３０】
以上のように構成された照明器具１について、器具本体１２に対してセード１３を着脱する手順を説明する。
【００３１】
まず、器具本体１２に対してセード１３を取り外す場合、器具本体１２およびセード１３から各サイドカバー１４，１５をそれぞれ取り外し、器具本体１２の上支持片２８とセード１３の上当接部３１との係合状態を解除する。上支持片２８と上当接部３１との係合状態を解除した後、器具本体１２の下支持片２９とセード１３の下当接部１３２との係合箇所を回動支点として、器具本体１２に対してセード１１３を回動操作して、下支持片２９と下当接部３２の係合状態を解除することで、器具本体１２からセード１３が取り外される。
【００３２】
一方、器具本体１２に対してセード１３を取り付ける場合、器具本体１２の下支持片２９をセード１３の下当接部３２の各当接片３２ａ，３２ｂの対向間隙に挿入することで、器具本体１２の下支持片２９とセード１３の下当接部３２とを当接させる。下支持片２９と下当接部３２との当接箇所を回動支点として器具本体１２に対してセード１３を回動操作することで、器具本体１２の上支持片２８とセード１３の上当接部３１とを当接させる。このとき、上支持片２８の係合突起３０に、上当接部３１の当接片３１ａの係合爪３４が係合されることで、セード１３の上当接部３１が器具本体１２の上支持片２８に係合された状態に保持される。したがって、器具本体１２の上支持片２８とセード１３の上当接部３１の当接片３１ａとの係合状態を維持するようにセード１３を手で支える必要が無い。
【００３３】
続いて、器具本体１２とセード１３の各両端部とに跨って各サイドカバー１４，１５をそれぞれ取り付けることで、器具本体１２にセード１３が係合された状態が保持され、照明器具１の組み立て作業が完了する。
【００３４】
上述したように、本実施形態の照明器具１によれば、器具本体１２の上支持片２８にセード１３の上当接部３１が当接した際に、器具本体１２の上支持片２８の係合突起３０に、セード１３側の上当接部３１の係合爪３４が係合されることによって、器具本体１２にセード１３が係合された係合状態が保たれるので、セード１３を手で支える必要が無く、すなわち器具本体１２に組み付けられたセード１３を支える手をセード１３から離してしまった場合であっても、器具本体１２からセード１３が脱落することを防止できる。したがって、この照明器具１によれば、器具本体１２からセード１３が落下して破損することが防止され、照明器具１の組み立て作業を一人だけで安全かつ確実に行うことができる。
【００３５】
なお、本発明に係る照明器具は、例えば台所の食器棚等の下方に配置され、流し台および流し台の前方を照明するように適用されたが、必要に応じて、照明範囲を任意の向きにするように他の位置に配置されてもよいことは勿論である。
【図面の簡単な説明】
【００３６】
【図１】本発明に係る照明器具を示す斜視図である。
【図２】前記照明器具を示す分解斜視図である。
【図３】前記照明器具を示す断面図である。
【図４】器具本体とセードの係合状態を示す断面図である。
【図５】従来の照明器具での器具本体とセードとの係合状態を示す断面図である。
【図６】従来の照明器具が備えるセードの要部を示す断面図である。
【符号の説明】
【００３７】
１  照明器具
１０  直管蛍光灯
１１  光源部
１２  器具本体
１３  セード
１４，１５  サイドカバー
２１  コネクタ
２３  支持基体
２６  天板
２７  底板
２８  上支持片
２９  下支持片
３０  係合突起
３１  上当接部
３２  下当接部
３１ａ，３１ｂ，３２ａ，３２ｂ  当接片
３４  係合爪
【図１】
2006032049.tif 000003
【図２】
2006032049.tif 000004
【図３】
2006032049.tif 000005
【図４】
2006032049.tif 000006
【図５】
2006032049.tif 000007
【図６】
2006032049.tif 000008